(57)【要約】【課題】毛髪を適度なテンションで広範囲に捉えることのできる髪ケア装置を得る。【解決手段】複数のブリスル５を突設したブリスル台２１と、このブリスル台２１を保持するブラシ外郭部２２と、を備える髪ケア装置１において、ブリスル５は、所定長さの長ブリスル５１と、この長ブリスル５１よりも短く毛髪Ｈを効率良く捉える短ブリスル５２と、を有し、短ブリスル５２をブリスル台２１の髪梳き方向に対して長ブリスル５１よりも外側に配置した。【選択図】図３
2011005127.tif 000002
【特許請求の範囲】
【請求項１】
複数のブリスルを突設したブリスル台と、当該ブリスル台を保持するブラシ外郭部と、を有するブラシ部を備える髪ケア装置であって、
前記ブリスルは、長ブリスルと、当該長ブリスルよりも短い短ブリスルと、を備え、
前記短ブリスルを、前記長ブリスルよりも前記ブリスル台の髪梳き方向外側に配置したことを特徴とする髪ケア装置。
【請求項２】
前記ブリスル台の毛髪接触面における髪梳き方向の幅寸法を、前記ブラシ外郭部の同方向の幅寸法よりも大きくしたことを特徴とする請求項１に記載の髪ケア装置。
【請求項３】
前記ブリスル台は、当該ブリスル台を撓ませた状態で、髪梳き方向の両側端部が前記ブラシ外郭部に保持されており、
前記ブリスル台は、当該ブリスル台の展開状態で、髪梳き方向の両側端部に行くに従って前記ブラシ外郭部とは反対方向に反り返る形状をしていることを特徴とする請求項１または請求項２に記載の髪ケア装置。
【請求項４】
前記ブラシ外郭部は、当該ブラシ外郭部に保持された前記ブリスル台の裏面に対向する支持湾曲面を有しており、前記ブリスル台の毛髪接触面の曲率を前記支持湾曲面の曲率よりも小さくしたことを特徴とする請求項１〜３のうちいずれか１項に記載の髪ケア装置。
【請求項５】
前記ブリスル台の髪梳き方向の両側端部と前記ブラシ外郭部との間に、前記ブリスル台の前記ブラシ外郭部側への撓み変形を抑制する撓み防止部を設けたことを特徴とする請求項１〜４のうちいずれか１項に記載の髪ケア装置。
【請求項６】
前記ブラシ外郭部は、帯電を抑制する材料を含んで形成されることを特徴とする請求項１〜５のうちいずれか１項に記載の髪ケア装置。
【発明の詳細な説明】
【技術分野】
【０００１】
本発明は、髪ケア装置に関する。
【背景技術】
【０００２】
従来、ヘアブラシなどの髪ケア装置として、複数のブリスルが突出するブリスル台をブラシ外郭部に装着させて形成したブラシ部を備え、複数のブリスルを、ヘアブラシの長手方向にそれぞれ列をなす長ブリスルと短ブリスルとで構成したものが知られている（たとえば、特許文献１参照）。
【０００３】
この特許文献１では、複数の短ブリスル同士を密集するように設けて短ブリスルの列で毛髪を主に捉えるようにし、毛髪にテンションをかけながらブリスル台の毛髪接触面を滑らせることで毛髪を梳かすようにしている。
【先行技術文献】
【特許文献】
【０００４】
【特許文献１】特開２０００−３５０６１９号公報
【発明の概要】
【発明が解決しようとする課題】
【０００５】
しかしながら、かかる従来の髪ケア装置にあっては、長ブリスルの列を、ヘアブラシの短手方向（ブリスル台の髪梳き方向）に複数配置するとともに、短ブリスルの列を、髪梳き方向の最も外側に配置された長ブリスルの列よりも内側に配置しているため、毛髪を適度なテンションで捉えながら髪を梳かす際に、ブリスル台の表面積が有効に利用されておらず、毛髪を適度なテンションで広範囲に捉えることができなかった。
【０００６】
そこで、本発明は、毛髪を適度なテンションで広範囲に捉えることのできる髪ケア装置を得ることを目的とする。
【課題を解決するための手段】
【０００７】
請求項１の発明にあっては、複数のブリスルを突設したブリスル台と、当該ブリスル台を保持するブラシ外郭部と、を有するブラシ部を備える髪ケア装置であって、前記ブリスルは、長ブリスルと、当該長ブリスルよりも短い短ブリスルと、を備え、前記短ブリスルを、前記長ブリスルよりも前記ブリスル台の髪梳き方向外側に配置したことを特徴とする。
【０００８】
請求項２の発明にあっては、請求項１に記載の髪ケア装置において、前記ブリスル台の毛髪接触面における髪梳き方向の幅寸法を、前記ブラシ外郭部の同方向の幅寸法よりも大きくしたことを特徴とする。
【０００９】
請求項３の発明にあっては、請求項１または請求項２に記載の髪ケア装置において、前記ブリスル台は、当該ブリスル台を撓ませた状態で、髪梳き方向の両側端部が前記ブラシ外郭部に保持されており、前記ブリスル台は、当該ブリスル台の展開状態で、髪梳き方向の両側端部に行くに従って前記ブラシ外郭部とは反対方向に反り返る形状をしていることを特徴とする。
【００１０】
請求項４の発明にあっては、請求項１〜３のうちいずれか１項に記載の髪ケア装置において、前記ブラシ外郭部は、当該ブラシ外郭部に保持された前記ブリスル台の裏面に対向する支持湾曲面を有しており、前記ブリスル台の毛髪接触面の曲率を前記支持湾曲面の曲率よりも小さくしたことを特徴とする。
【００１１】
請求項５の発明にあっては、請求項１〜４のうちいずれか１項に記載の髪ケア装置において、前記ブリスル台の髪梳き方向の両側端部と前記ブラシ外郭部との間に、前記ブリスル台の前記ブラシ外郭部側への撓み変形を抑制する撓み防止部を設けたことを特徴とする。
【００１２】
請求項６の発明にあっては、請求項１〜５のうちいずれか１項に記載の髪ケア装置において、前記ブラシ外郭部は、帯電を抑制する材料を含んで形成されることを特徴とする。
【発明の効果】
【００１３】
請求項１の発明によれば、短ブリスルを、ブリスル台の髪梳き方向に対して長ブリスルよりも外側に配置したため、毛髪を梳く際に、毛髪を適度なテンションで捉える短ブリスル間の距離を長くとることができる。その結果、毛髪を適度なテンションで捉えながら髪を梳かす際に、ブリスル台の毛髪接触面の表面積をより有効に利用して毛髪を広範囲に捉えることができるようになる。
【００１４】
請求項２の発明によれば、ブリスル台の毛髪接触面における髪梳き方向の幅寸法を、ブリスル台を保持したブラシ外郭部の同方向の幅寸法よりも大きくしたため、ブリスル台の毛髪接触面の表面積をさらに増大することができる。その結果、毛髪をより広範囲で捉えることができるようになり、整髪が行いやすくなる。
【００１５】
請求項３の発明によれば、ブリスル台を、展開状態で、髪梳き方向の両側端部に行くに従って前記ブラシ外郭部とは反対方向に反り返る形状とすることで、ブリスル台の髪梳き方向の両側端部をブリスル台の撓み変形を伴いつつブラシ外郭部に保持したときに、反り返った両側端部がブラシ外郭部の髪梳き方向の両端からより大きく突出することになるため、ブリスル台の構造をより簡単にしつつ、ブリスル台の毛髪接触面の表面積を増大させることができるようになる。
【００１６】
請求項４の発明によれば、ブラシ外郭部の支持湾曲面の曲率よりもブリスル台の毛髪接触面の曲率を小さくすることで、ブリスル台の毛髪接触面がブラシ外郭部の支持湾曲面よりも緩やかな湾曲面となるため、ブラシ部をブリスルで捉えた毛髪に対して平行に移動させ易くなり、毛髪をストレートに整え易くすることができる。
【００１７】
請求項５の発明によれば、ブリスル台の髪梳き方向の両側端部とブラシ外郭部との間にブリスル台の撓み防止部を設けたため、毛髪を梳く際に、ブリスル台の両側端部がブラシ外郭部側へ撓み変形するのを抑制することができる。その結果、長ブリスルと短ブリスルとが沈下してしまうのが抑制され毛髪を効率良く整髪することができる。
【００１８】
請求項６の発明によれば、ブラシ外郭部を帯電を抑制する材料を含んで形成したため、毛髪を梳く際に静電気が発生するのが抑制され、毛髪をより整え易くすることができる。
【図面の簡単な説明】
【００１９】
【図１】図１は、本発明の第１実施形態にかかる髪ケア装置の全体を示す正面図である。
【図２】図２は、図１に示す髪ケア装置のブラシ部を拡大した正面図である。
【図３】図３は、図２中III−III線に沿った拡大断面図である。
【図４】図４は、図１に示す髪ケア装置の短ブリスル列を設けた短ブリスルブロックの正面図である。
【図５】図５は、図４中V−V線に沿った拡大断面図である。
【図６】図６は、図１に示す髪ケア装置のブリスル台の展開状態を示す説明する図であって、（ａ）は正面図、（ｂ）は平面図である。
【図７】図７は、図１に示す髪ケア装置の撓み防止部の取付状態を裏側から見た背面図である。
【図８】図８は、図１に示す髪ケア装置のブリスル台の幅方向片側を示す拡大平面図である。
【図９】図９は、図１に示す髪ケア装置の短ブリスルの１つを拡大して示す平面図である。
【図１０】図１０は、図１に示す髪ケア装置の短ブリスルを示す図であって、（ａ）は、ブラシ部を毛髪に押し付けた初期の状態を示す拡大平面図、（ｂ）は、毛髪を梳いている状態を示す拡大平面図である。
【図１１】図１１は、図１に示す髪ケア装置のブラシ部で毛髪を梳く状態を示す図であって、（ａ）は、毛髪束にブラシ部を押し当てた初期状態を示す平面図、（ｂ）は、毛髪束をブラシ部で梳いている状態を示す平面図である。
【図１２】図１２は、図１１（ａ）中XII方向から見た短ブリスルブロックの拡大図である。
【図１３】図１３は、本発明の第２実施形態にかかる髪ケア装置の全体を示す正面図である。
【図１４】図１４は、図１３に示す髪ケア装置のブラシ部の要部を拡大した正面図である。
【図１５】図１５は、図１３に示す髪ケア装置の拡大平面図である。
【図１６】図１６は、図１３中XVI−XVI線に沿った断面図である。
【発明を実施するための形態】
【００２０】
以下、本発明の実施形態について図面を参照しながら詳細に説明する。なお、以下の複数の実施形態には、同様の構成要素が含まれている。よって、以下では、それら同様の構成要素には共通の符号を付与するとともに、重複する説明を省略する。また、以下では、髪ケア装置としてヘアブラシを例示する。
【００２１】
（第１実施形態）
本実施形態にかかるヘアブラシ１は、図１に示すように、長手方向（図１中上下方向）の一端側にブラシ部２を配置し、他端側にグリップ部３を配置して概ね構成されている。このブラシ部２は、グリップ部３の一端部に設けられたブラシ装着部３１に着脱自在に装着されている。
【００２２】
また、グリップ部３の内部には図示省略した送風装置およびヒータが収納されるとともに、長手方向に貫通する図示省略した空気通路が形成されており、グリップ部３の他端部には、空気通路に連通するメッシュ状の空気吸込口３２が設けられている。なお、符号Ｃは電源コードである。
【００２３】
そして、グリップ部３の側面に設けられた操作スイッチ４を操作することにより、上記送風装置が作動して空気吸込口３２から空気を吸引し、吸引された空気は上記空気通路を経由してブラシ部２に送給されるようになっている。このとき、ヒータを作動させれば、空気通路を通過する空気が加熱されてブラシ部２に温風が送給されるようになる。
【００２４】
ブラシ部２は、図２および図３に示すように、複数のブリスル５を突設したブリスル台２１と、このブリスル台２１を保持するブラシ外郭部２２と、を備えている。また、ブリスル５は、所定長さの長ブリスル５１と、この長ブリスル５１よりも短く毛髪を効率良く捉える短ブリスル５２と、で構成されている。なお、長ブリスル５１および短ブリスル５２は、ともにポリエステルエラストマーなどの合成樹脂で形成されている。
【００２５】
ブリスル台２１は、ブリスル５が突出する外側面が毛髪接触面２１ａとなっており、毛髪接触面２１ａは、ブリスル台２１をブラシ外郭部２２に保持した状態で、髪梳き方向（図２中左右方向：ヘアブラシの幅方向）が外方に突出する湾曲面を成している。
【００２６】
ブラシ外郭部２２は、図３に示すように、外方に膨出する円弧状断面を成す外郭本体部２３と、外郭本体部２３の内面側に取り付けられたブリスル台保持枠２４と、によって構成されている。そして、外郭本体部２３の内側の幅方向両端部に設けられた係合部２３ａに、ブリスル台２１の幅方向両端部に形成したフック部２１Ｈが着脱自在に係合されることにより、ブリスル台２１がブラシ外郭部２２に保持される。このとき、ブリスル台２１は可撓性を有する合成樹脂などの材料で形成されており、ブリスル台２１をブラシ外郭部２２に保持する際には、ブリスル台２１のフック部２１Ｈが、ブリスル台２１を撓み変形させた状態で弾発力をもって係合部２３ａに係合される。
【００２７】
また、ブラシ外郭部２２にブリスル台２１が保持された状態では、それら両者間に中空部Ｓが形成されており、その中空部Ｓは、グリップ部３の空気通路に連通して送風装置から送給された空気が導入される空気導入空間２５となっている。そして、空気導入空間２５に導入された空気は、ブリスル台２１の毛髪接触面２１ａに形成された複数の吹出口２１ｂから送風となって吹き出される。このとき、ヒータを作動させた場合には温風となって吹き出される。
【００２８】
ここで、本実施形態では、図３および図８に示すように、短ブリスル５２を、ブリスル台２１の髪梳き方向（幅方向）に対して長ブリスル５１よりも外側に配置している。
【００２９】
具体的には、長ブリスル５１および短ブリスル５２は、図２に示すように、ブラシ部２の長手方向に列を成して配置されており、長ブリスル列５１Ｑを、髪梳き方向に複数（本実施形態では７列）配列するとともに、短ブリスル列５２Ｑを、髪梳き方向の最も外側に配置した長ブリスル列５１Ｑのさらに外側に配置している。つまり、短ブリスル列５２Ｑが、ブリスル台２１の毛髪接触面２１ａの幅方向両側部の最外側に一対配置された状態となっている。
【００３０】
このとき、それぞれの長ブリスル列５１Ｑは、図３および図７に示すように、長ブリスル５１のそれぞれの基端が長手方向に連続する連結帯５１Ｂによって連結されており、図３に示すように、それぞれの長ブリスル５１がブリスル台２１に形成された取付孔２１ｃに裏側から挿入されてブリスル台２１の毛髪接触面２１ａから突出される。そして、連結帯５１Ｂがブリスル台２１に係止されることにより、長ブリスル５１の抜止めが行われる。
【００３１】
一方、短ブリスル列５２Ｑは、図３および図４に示すように、短ブリスルブロック５２Ｂから３列の短ブリスル５２が一体成形により突設されており、その短ブリスルブロック５２Ｂがブリスル台２１に形成された取付口２１ｄに裏側から挿入されることにより、それぞれの短ブリスル５２がブリスル台２１の毛髪接触面２１ａから突出される。そして、短ブリスルブロック５２Ｂの短ブリスル５２を突設した側とは反対側端部に設けた抜止め板５２Ｐを、ブリスル台２１の裏面に係止することにより、端ブリスル５２の抜止めが行われる。
【００３２】
抜止め板５２Ｐは、その幅方向中央側が、短ブリスル列５２Ｑに隣接した長ブリスル列５１Ｑの長ブリスル５１に挿通されて連結帯５１Ｂとブリスル台２１との間に挟持される。また、抜止め板５２Ｐの幅方向外側は、ブリスル台２１の裏面から突設されるリブ５２Ｋに挿通し、後述するブリスルサポート２６で押さえ込むことで固定される。
【００３３】
図３に示すように、長ブリスル列５１Ｑは、長ブリスル５１が長手方向に所定間隔をもって１本づつ配列されている。一方、短ブリスル列５２Ｑは、図４に示すように、髪梳き方向に密集して３列並んだ短ブリスル５２が長手方向に千鳥状に配列されている。このように短ブリスル５２を千鳥状に配列することにより、図５に示すように、短ブリスル列５２Ｑの列方向と直交する方向から見た側面視において、１つの列を成す短ブリスル５２が、その列に隣接する他の列を成す短ブリスル５２の間に位置するように配置される。
【００３４】
また、短ブリスル５２は、図４に示すように、１つの短ブリスルブロック５２Ｂで長手方向に３つの群Ｇ１、Ｇ２、Ｇ３に分かれており、それぞれの群Ｇ１、Ｇ２、Ｇ３で短ブリスル５２の列方向（長手方向）の間隔がほぼ等しくなるように設定されている。たとえば、本実施形態では、それぞれの短ブリスル５２の列方向の間隔をＰ１とし、短ブリスル列５２Ｑの列方向と直交する方向から見た側面視で短ブリスル５２の見掛け上の間隔をＰ２とすると、Ｐ２＝Ｐ１／２となるようにしている。このように、短ブリスル５２の見掛け上の間隔Ｐ２を小さくすることにより、毛髪と直交する方向の短ブリスル５２の密集度を大きくし、毛髪を梳かす際に、短ブリスル５２で捉えた毛髪に効率良くテンションをかけることができるようにしている。なお、本実施形態では、幅方向両側の短ブリスル５２の長手方向の間隔Ｐ２は、３群Ｇ１、Ｇ２、Ｇ３を通してほぼ等しくなるように設定されている。
【００３５】
短ブリスルブロック５２Ｂは、図２に示すように、３個を長手方向に沿って直列に配置することにより、１つの短ブリスル列５２Ｑが形成される。このため、図６に示すように、ブリスル台２１の髪梳き方向の両側部には、長手方向に３箇所の取付口２１ｄが形成され、それぞれの取付口２１ｄに短ブリスルブロック５２Ｂが嵌め込まれる。
【００３６】
短ブリスル５２は、図５および図９に示すように、先端に向かって縮径される細長いテーパ状に形成されており、その先端には凸曲面５２ｃが形成されている。また、短ブリスル５２の長さ方向中間部には段差部５２Ｓが設けられており、その段差部５２Ｓよりも根元側を短ブリスル下部５２ａ、先端側を短ブリスル上部５２ｂとしている。すなわち、図９に示すように、段差部５２Ｓにおける短ブリスル上部５２ｂの径をα、短ブリスル下部５２ａの径をβとすると、α＜βとなるようにしている。
【００３７】
そして、短ブリスル下部５２ａと短ブリスル上部５２ｂとの間に径差を設け、短ブリスル下部５２ａを短ブリスル上部５２ｂよりも大径とすることにより、短ブリスル５２の耐久性の向上を図っている。さらに、短ブリスル上部５２ｂを小径とすることにより、図１０（ａ）に示すように、短ブリスル上部５２ｂ間の隙間δが大きくなるため多くの毛髪Ｈを取り込み易くすることができる。さらに、取り込んだ毛髪が、図１０（ｂ）に示すように、短ブリスル下部５２ａ間の狭い隙間δに誘導されることにより、毛髪Ｈに効果的にテンションをかけることができるようになる。
【００３８】
また、本実施形態では、図３に示すように、ブリスル台２１の毛髪接触面２１ａにおける髪梳き方向の幅寸法Ｌ１を、ブラシ外郭部２２の同方向の幅寸法Ｌ２よりも大きく設定している。
【００３９】
ところで、ブリスル台２１は、図６に示すように、展開した状態で成形されており、その幅方向両端部を裏側に撓ませつつ、図３に示すように、フック部２１Ｈをブラシ外郭部２２の係合部２３ａに係合させることで、ブラシ外郭部２２に保持されている。このとき、ブリスル台２１は、長ブリスル５１および短ブリスル５２が突設される外周面が毛髪接触面２１ａとなり、この毛髪接触面２１ａの幅寸法Ｌ１を、ある程度の大きさに形成されるブラシ外郭部２２の幅寸法Ｌ２よりも大きくしている。このように、本実施形態では、毛髪接触面２１ａの幅寸法Ｌ１を大きくすることで、毛髪接触面２１ａの毛髪接触面積を積極的に増大させている。この場合、毛髪接触面２１ａの幅寸法Ｌ１は、ブラシ外郭部２２の幅寸法Ｌ２に対して３０パーセント以上大きいことが好ましい。
【００４０】
さらに、本実施形態では、ブリスル台２１を、図６に示すように、展開状態で、髪梳き方向の両側端部に行くに従ってブラシ外郭部２２とは反対方向、つまり、毛髪接触面２１ａ側に反り返る形状としている。
【００４１】
このブリスル台２１は弾発力を持った合成樹脂などの可撓性材料で形成されており、図６（ｂ）に示すように、そのブリスル台２１の展開状態では、毛髪接触面２１ａの髪梳き方向の中央部が、図６（ｂ）中下方となる裏側に緩やかに湾曲して凹設されることにより、その両側端部が反り返った形状をしている。そして、反り返った両側端の外側部は、円弧面２１Ｒを介してフック部２１Ｈへと連なっている。この場合、ブリスル台２１の両側端部の反り返りは、その最大高さ部分がブリスル台２１の髪梳き方向の中央部に対して４０パーセント以上の高低差を有していることが好ましい。
【００４２】
このブリスル台２１をブラシ外郭部２２に装着する際には、図３に示すように、反り返った両側端部をブラシ外郭部２２方向に撓ませて、フック部２１Ｈを係合部２３ａに係合させる。これにより、ブリスル台２１の毛髪接触面２１ａは、展開状態とは反対方向に撓み変形して、ブラシ外郭部２２とは反対方向に突出した湾曲面Ｃ１となる。
【００４３】
一方、ブラシ外郭部２２の外郭本体部２３に取り付けられたブリスル台保持枠２４は、ブラシ外郭部２２に保持されたブリスル台２１の裏面に対向した面が支持湾曲面Ｃ２となっている。このとき、ブリスル台２１とブラシ外郭部２２の支持湾曲面Ｃ２との間には、ブリスル台２１の髪梳き方向中央部分の適度な撓み変形を許容する隙間が設けられる。この場合、ブラシ外郭部２２は、ポリエステルエラストマーなどの合成樹脂で形成され、若干の弾性を有している。
【００４４】
そして、本実施形態では、支持湾曲面Ｃ２の曲率よりもブリスル台２１の毛髪接触面２１ａの曲率を小さく設定している。つまり、支持湾曲面Ｃ２は、一般的に幅方向にある程度の曲面をもって形成されるが、その支持湾曲面Ｃ２よりも毛髪接触面２１ａが緩やかな曲面となるように形成されている。このように、毛髪接触面２１ａの曲率を小さくすることにより、図３に示すように、短ブリスル５２の先端部を、湾曲したブリスル台２１の頂点部２１Ｔに接する中央部接線Ｔよりも上方に突出させ易くなる。
【００４５】
また、このようにブリスル台２１とブラシ外郭部２２の支持湾曲面Ｃ２との間に隙間を設けることで、ブリスル台２１の適度な撓み変形が許容されるが、特に、本実施形態では、ブリスル台２１の髪梳き方向の両側端部とブラシ外郭部２２（詳細には支持湾曲面Ｃ２）との間に、ブリスル台２１のブラシ外郭部２２側への撓み変形を抑制する撓み防止部としてのブリスルサポート２６を設けている。
【００４６】
ブリスルサポート２６は、図７に示すように、ヘアブラシ１の長手方向に細長い形状に形成されており、それぞれがブリスル台２１の裏側の幅方向両側端部に配置される。そして、このブリスルサポート２６には、長手方向の先端の幅方向両側部にＬ字状リブ２６ａと、末端の幅方向両側部にＴ字状リブ２６ｂと、が突設されるとともに、長手方向中段の幅方向外側部に所定間隔をもって２箇所のスリット２６ｃが形成されている。
【００４７】
また、ブリスルサポート２６の本体部分には、長手方向に複数箇所（本実施形態では６箇所）の固定用貫通穴２６ｄが所定間隔をもって形成されるとともに、その固定用貫通穴２６ｄの幅方向内側には、長手方向に４箇所の長・短貫通穴２６ｅが形成されている。
【００４８】
そして、図７に示すように、ブリスル台２１の裏面には、上述したＬ字状リブ２６ａおよびＴ字状リブ２６ｂにそれぞれ対応した位置に、Ｌ字状溝２１ｅおよびＴ字状溝２１ｆが形成されており、それらを互いに嵌合させることによりブリスルサポート２６がブリスル台２１に固定される。また、固定用貫通孔２６ｄにブリスル台２１の裏面に突設した上述のリブ５２Ｋを挿入することで、短ブリスルブロック５２Ｂの抜止め板５２Ｐが、ブリスルサポート２６とブリスル台２１との間に挟み込み固定されるようになっている。
【００４９】
また、図７に示すように、ブリスル台２１の裏面には、上述したスリット２６ｃに嵌合するリブ５２Ｎが突設されており、これらスリット２６ｃとリブ５２Ｎによってもブリスルサポート２６とブリスル台２１とが固定される。
【００５０】
また、本実施形態では、ブラシ外郭部２２は、帯電を抑制する材料を含んで形成している。具体的には、本実施形態にかかるブラシ外郭部２２は、ポリブチレンテレフタレート（ＰＢＴ）に低分子タイプの界面活性剤を配合した材料を用いて形成している。なお、帯電を抑制する材料として、高分子タイプの界面活性剤や低分子タイプの界面活性剤を用いることが可能であるが、本実施形態では、配合することによって強度が低下してしまうのを抑制することのできる低分子タイプの界面活性剤を用いるようにした。
【００５１】
ここで、本実施形態にかかるヘアブラシ１を用いて毛髪Ｈのカール付けやセットなどの整髪を行うにあたっては、図１１に示すように、長ブリスル列５１Ｑおよび短ブリスル列５２Ｑの列方向が毛髪Ｈの方向と直交するようにブラシ部２を配置し、毛髪Ｈの束を長ブリスル５１および短ブリスル５２の間に差し入れて梳くことにより行われる。
【００５２】
毛髪Ｈの束は、まず、長ブリスル列５１Ｑの長ブリスル５１間に捉えられ、さらに側方に位置する短ブリスル５２間に差し入れられる。このとき、短ブリスル５１は、短ブリスル上部５２ｂの径が短ブリスル下部５２ａよりも小径に形成されているので、隣接する短ブリスル５１どうしの隙間δは先端側がより大きくなり、図１０（ａ）に示すように、毛髪Ｈを短ブリスル列５２Ｑに容易に差し入れることができる。そして、短ブリスル５２どうしの間に差し入れられた毛髪Ｈは、図１０（ｂ）に示すように、短ブリスル５２に沿って隙間δが狭くなる短ブリスル下部５２ａ方向に誘導される。このとき、短ブリスル５２がテーパ状に形成されていることにより、毛髪Ｈがスムーズに下部へと誘導される。
【００５３】
また、短ブリスル５２は密接して短ブリスルブロック５２Ｂから突設されており、短ブリスル５２間の隙間δは下部側で狭くなっているため、毛髪Ｈは短ブリスル下部５２ａ側で短ブリスル５２間に強く挟み込まれ、毛髪Ｈに適度なテンションをかけることができる。
【００５４】
さらに、毛髪Ｈは、図１１（ａ）に示すように、ブリスル台２１の毛髪接触面２１ａの湾曲形状に沿って誘導され、髪梳き方向端部の円弧面２１Ｒに確実に接するため、所望の形状に容易に整えることができる。
【００５５】
また、毛髪Ｈは、長ブリスル５１で捉えられて短ブリスル５２によって毛先部分まで保持されるが、図１１（ｂ）に示すように、この状態でブラシ部２をブリスル台２１の毛髪接触面２１ａの湾曲方向に回転させることで、毛先部分にさらにテンションをかけることができる。
【００５６】
すなわち、図１１（ａ）に示すように、ブリスル台２１に設けた一方側、つまり、毛髪Ｈの根元側の短ブリスル列５２Ｑを通過した毛髪Ｈは、ブリスル台２１の湾曲した毛髪接触面２１ａの中央部接線２１Ｔに沿って延ばされるが、図１１（ｂ）に示すように、その中央部接線２１Ｔよりも突出させた他方の短ブリスル列５２Ｑの先端部によって再び毛髪Ｈを捉えることができる。このように、毛髪Ｈは、ブリスル台２１の髪梳き方向の両側端部に位置する両方の短ブリスル列５２Ｑを通過することでより強固に、かつ、安定して保持され、毛髪Ｈをより所望の形状に整えることができる。
【００５７】
この状態で、操作スイッチ４を操作して送風装置およびヒータを作動させると、熱せられた空気が温風として吹出口２１ｂから所望の形状に保持された毛髪Ｈに噴出される。すると、温風によるブローにより、まず、長ブリスル５１間に捉えられた毛髪Ｈの束が、図１２に示すように、さらに短ブリスル５２間の隙間δに導かれて細かい束に分散されるので、濡れた毛髪Ｈの乾燥効率が高められる。
【００５８】
以上の本実施形態によれば、毛髪Ｈを効率良く捉える短ブリスル５２を、ブリスル台２１の髪梳き方向に対して長ブリスル５１よりも外側に配置したため、毛髪Ｈを梳く際に、毛髪Ｈを適度なテンションで捉える短ブリスル５２間の距離を長くとることができる。その結果、毛髪Ｈを適度なテンションで捉えながら毛髪Ｈを梳かす際に、ブリスル台２１の毛髪接触面２１ａの表面積をより有効に利用して毛髪Ｈを広範囲に捉えることができるようになる。これにより、毛髪Ｈの整髪を効率良く行うことができるようになる。
【００５９】
また、ブリスル台２１の毛髪接触面２１ａにおける髪梳き方向の幅寸法Ｌ１を、ブリスル台２１を保持したブラシ外郭部２２の同方向の幅寸法Ｌ２よりも大きくしたので、ブリスル台２１の毛髪接触面２１ａの表面積をさらに増大することができ、毛髪Ｈをより広範囲で捉えることができるようになり整髪が行いやすくなる。
【００６０】
さらに、ブリスル台２１を、展開状態で、髪梳き方向の両側端部に行くに従ってブラシ外郭部２２とは反対方向に反り返る形状とすることで、ブリスル台２１の髪梳き方向の両側端部を、ブリスル台２１の撓み変形を伴いつつブラシ外郭部２２に保持したときに、反り返った両側端部がブラシ外郭部２２の同方向の両側からより大きく突出することになる。このため、これにより、ブリスル台２１の構造をより簡単にしつつ、ブリスル台２１の毛髪接触面２１ａの表面積を増大させることができるようになる。
【００６１】
さらにまた、ブラシ外郭部２２の支持湾曲面Ｃ２の曲率よりもブリスル台２１の毛髪接触面２１ａの曲率を小さくすることで、ブリスル台２１の毛髪接触面２１ａがブラシ外郭部２２の支持湾曲面Ｃ２よりも緩やかな湾曲面Ｃ１となるため、ブラシ部２を、長ブリスル５１や短ブリスル５２で捉えた毛髪Ｈに対して平行に移動させ易くなり、毛髪Ｈをストレートに整え易くすることができる。
【００６２】
また、ブリスル台２１の髪梳き方向の両側端部とブラシ外郭部２２との間にブリスルサポート（撓み防止部）２６を設けたため、毛髪Ｈを梳く際に、ブリスル台２１のブラシ外郭部２２側へ撓み変形するのを抑制することができる。その結果、長ブリスル５１と短ブリスル５２とが沈下してしまうのが抑制され毛髪Ｈを効率良く整髪することができる。
【００６３】
さらに、ブラシ外郭部２２を帯電を抑制する材料を含んで形成したため、毛髪Ｈを梳く際に静電気が発生するのが抑制され、毛髪Ｈをより整え易くすることができる。
【００６４】
（第２実施形態）
本実施形態にかかるヘアブラシ１Ａは、図１３に示すように、基本的に上記第１実施形態のヘアブラシ１とほぼ同様の構成をしており、ブラシ部２とグリップ部３とで構成されている。そして、ブラシ部２は、ブリスル台２１とブラシ外郭部２２とを備え、ブリスル台２１には、長ブリスル列５１Ｑを形成する長ブリスル５１と、短ブリスル列５２Ｑを形成する短ブリスル５２と、が突設されている。さらに、短ブリスル列５２Ｑが、ブリスル台２１の髪梳き方向に対して長ブリスル列５１Ｑよりも外側に配置されている。
【００６５】
ここで、本実施形態にかかるヘアブラシ１Ａが上記第１実施形態のヘアブラシ１と主に異なる点は、ブリスル台２１の毛髪接触面２１ａのほぼ中央部に、例えばマイナスイオンなどのイオンを放出するイオン放出口６を設けたことにある。
【００６６】
すなわち、図１４に示すように、ブラシ部２の内部にはイオンを発生するイオン発生装置６１が内蔵されており、グリップ部３の側面に設けた操作スイッチ４Ａを操作することにより、イオン発生装置６１で発生させたイオンがイオン放出口６から放出されて、図示省略した毛髪に放出できるようになっている。
【００６７】
イオン発生装置６１としては、たとえば、コロナ放電方式の装置を用いることができる。このコロナ放電方式のイオン発生装置６１を用いると、イオン化針側に高電圧を印加することによりコロナ放電を起こして空気中に電子を放出させてイオンを発生させることができる。
【００６８】
さらに、本実施形態にかかるヘアブラシ１Ａは、発光部７０を備えている。発光部７０は、ブラシ部２内に配置されたＬＥＤ（発光ダイオード）等の光源７０ａと、ブラシ部２の外に露出している出射端部７０ｂと、を有しており、光源７０ａの光は出射端部７０ｂからブラシ部２の外に出射される。かかる構成では、ヘアブラシ１Ａの使用時には、出射端部７０ｂが使用者の毛髪に対向して配置されることになる。
【００６９】
この発光部７０は、ヘアブラシ１Ａの動作モードの表示手段として利用することができる。例えば、ヒータを使用していて温風が吹き出されている状態では赤色、ヒータを使用せず冷風が吹き出されている状態では緑色、イオン発生装置６１が稼動していてイオンが放出されている状態では黄色、など、動作状態に応じて色を変化させるようにすることができる。この場合、各色に対応する光源７０ａが複数実装され、制御回路がこれら複数の光源７０ａの発光を制御することになる。なお、制御回路によって光源７０ａを点滅させたり、その点滅間隔を制御したり、発光強度を変化させたりすることも可能であり、これら発光形態を、種々の動作モードに対応づけて設定することも可能である。
【００７０】
また、発光部７０を、イオン発生装置６１を照らす照射手段として利用することができる。こうすれば、イオン発生装置６１の状態を視認しやすくなるとともに、掃除等のメンテナンスを行う場合にも視認性が高まって作業効率が向上するという効果が得られる。
【００７１】
なお、本実施形態では、毛髪全体に効率よくイオンを放出できるように、イオン放出口６を毛髪接触面２１ａの中央部に設けているが、必ずしも毛髪接触面２１ａの中央部に設ける必要はない。
【００７２】
また、本実施形態にあっても、図１５に示すように、ブリスル台２１の毛髪接触面２１ａにおける髪梳き方向の幅寸法Ｌ１を、ブラシ外郭部２２の同方向の幅寸法Ｌ２よりも大きく設定している。
【００７３】
さらに、本実施形態においても、上記第１実施形態と同様に、ブリスル台２１の構成を、髪梳き方向の両側端部がブリスル台２１の撓み変形を伴いつつブラシ外郭部２２に保持される構成とし、展開状態で髪梳き方向の両側端部に行くに従ってブラシ外郭部２２とは反対方向に反り返る形状とすることが好ましい。
【００７４】
さらにまた、ブラシ外郭部２２にブリスル台２１の裏側に対向する支持湾曲面を設けた場合には、その支持湾曲面の曲率よりもブリスル台２１の毛髪接触面２１ａの曲率を小さく設定することが好ましい。
【００７５】
また、ブリスル台２１の髪梳き方向の両側端部とブラシ外郭部２２との間に、ブリスル台２１のブラシ外郭部２２側への撓み変形を抑制する撓み防止部を設けることが好ましい。
【００７６】
さらに、ブラシ外郭部２２に帯電を抑制する材料を含んで形成することが好ましい。
【００７７】
なお、本実施形態にかかるヘアブラシ１Ａでは、上記第１実施形態のヘアブラシ１に備えられた送風装置やヒータは設けられておらず、本実施形態にかかるブリスル台２１には吹出口が存在していないが、上記第１実施形態のようにこれらを設けるようにしてもよい。
【００７８】
以上の本実施形態によっても、上記第１実施形態と同様の作用、効果を奏することができる。
【００７９】
さらに、本実施形態によれば、ブリスル台２１の毛髪接触面２１ａにマイナスイオンなどのイオンを放出するイオン放出口６を設けたため、ヘアブラシ１Ａで毛髪を梳く際にイオンを放出し続けることができ、髪のツヤやしっとり感およびクセの伸びなどを良くしたりすることができる。
【００８０】
以上、本発明の好適な実施形態について説明したが、本発明は上記実施形態には限定されず、種々の変形が可能である。
【００８１】
たとえば、上記実施形態では、髪ケア装置としてヘアブラシを例示したが、これに限ることなく、ブリスルが設けられた髪ケア装置を用いても、本発明を実施することができる。
【００８２】
また、ブリスル台やブラシ外郭部、グリップ部、その他細部のスペック（形状、大きさ、レイアウト等）も適宜に変更可能である。
【符号の説明】
【００８３】
１、１Ａ  ヘアブラシ（髪ケア装置）
２  ブラシ部
２１  ブリスル台
２１ａ  毛髪接触面
２２  ブラシ外郭部
２６  ブリスルサポート（撓み防止部）
５  ブリスル
５１  長ブリスル
５２  短ブリスル
Ｌ１  ブリスル台の幅寸法
Ｌ２  ブラシ外郭部の幅寸法
Ｃ１  ブリスル台の湾曲面
Ｃ２  ブラシ外郭部の支持湾曲面
【図１】
2011005127.tif 000003
【図２】
2011005127.tif 000004
【図３】
2011005127.tif 000005
【図４】
2011005127.tif 000006
【図５】
2011005127.tif 000007
【図６】
2011005127.tif 000008
【図７】
2011005127.tif 000009
【図８】
2011005127.tif 000010
【図９】
2011005127.tif 000011
【図１０】
2011005127.tif 000012
【図１１】
2011005127.tif 000013
【図１２】
2011005127.tif 000014
【図１３】
2011005127.tif 000015
【図１４】
2011005127.tif 000016
【図１５】
2011005127.tif 000017
【図１６】
2011005127.tif 000018